(57)【特許請求の範囲】
【請求項１】
液体を供給するための液体給液口を有する液体収容タンクと、
正面にミスト放出口を開口させ、前記液体収容タンクを前記液体給液口を下方にして収納可能な空間と、前記液体収容タンクを前記空間に収納した際、前記液体給液口と前記ミスト放出口とを連通させる液体流路と、前記ミスト放出口を挟んで溝部を対向させて平行配置された一対のスライド溝部と、を有する筺体と、
前記スライド溝部にそれぞれ並列的に装着され、かつ前記溝部を摺動させて交互に前記ミスト放出口に液密的に装着可能とされ、前記液体を霧化して放出する第１及び第２の超音波振動子と、
前記ミスト放出口に液密的に装着された前記第１または第２の超音波振動子に電力を供給する電力供給部と、
を備え
前記第１の超音波振動子の少なくとも一部に、表裏を連通する第１の微細孔が形成され、前記第２の超音波振動子の少なくとも一部に、表裏を連通し前記第１の微細孔よりも径が大きい第２の微細孔が形成される
ことを特徴とする化粧液装置。
【請求項２】
前記第１及び第２の超音波振動子が着脱自在であることを特徴とする請求項１に記載の化粧装置。
【請求項３】
前記液体流路を構成する下部板の少なくとも一部を透液性の部材又は微細孔を有する部材で構成するとともに、前記液体流路の下側に、前記透液性の部材又は微細孔が内面に露出した前記筐体の正面または裏面に開口する気体流路と、前記気体流路に空気を送入するファンと、をさらに備え、
前記気体流路には前記液体が供給され、当該液体は、前記ファンによって送入された空気とともに前記気体流路の開口から放出されること
を特徴とする請求項１または２に記載の化粧液装置。
【請求項４】
前記液体収容タンクが、肌面に化粧を施すための第１の液体と、前記肌面を保湿またはケアするための第２の液体とを貯液可能な互いに区画された貯液部を備え、
前記貯液部が、
前記気体流路に前記透液性の部材又は微細孔を有する部材を介して前記第１の液体を供給する第１の供給路と、
前記液体流路に前記第２の液体を供給するための第２の供給路と、
を備えたこと
を特徴とする請求項３に記載の化粧液装置。
【請求項５】
前記液体収容タンクが、肌面に化粧を施すための第１の液体、または、前記肌面を保湿またはケアするための第２の液体のどちらかを貯液することを特徴とする請求項１ないし３のいずれか１項に記載の化粧液装置。
【請求項６】
前記液体収容タンクが、１０μｍ以上の粒子を含む第１の液体、または、当該第１の液体とは異なる第２の液体を貯液することを特徴とする請求項１ないし３のいずれか１項に記載の化粧液装置。
【請求項７】
前記第２の超音波振動子は、前記微細孔の直径が１０μｍ以上に形成されて前記第１の液体を放出可能とされ、前記第１の超音波振動子は、前記微細孔の直径が１０μｍ未満に形成されて前記第２の液体を放出可能とされていること
を特徴とする請求項５または６に記載の化粧液装置。
【請求項８】
前記液体収容タンクは、取換え可能であることを特徴とすること請求項１ないし７のいずれか１項に記載の化粧液装置。
【請求項９】
側面にミスト放出部を備えた液体収容タンクと、
前記液体収容タンクを収納可能な空間を有し、前記液体収容タンクを収納した際、前記ミスト放出部に対応する位置に開口部を有する筐体とを備え、前記液体収容タンクの前記ミスト放出部は、前記タンク側面に液密的に固設された少なくとも一部にタンク内に連通する微細孔の形成された超音波振動子と、前記超音波振動子に電力を供給する受電端子を底面に露出させた給電部とを有し、
前記筐体は、前記液体収容タンクを前記空間に収納した際、前記液体収容タンクの受電端子が接触する位置に設けた給電端子と、前記給電端子に給電ラインを介して接続された充電可能な電池と、を有することを特徴とする化粧液装置。
【発明の詳細な説明】
【技術分野】
【０００１】
本発明の実施形態は、リキッド状のファンデーションや化粧液、水などの液体を肌面に吹き付けて化粧や肌のトリートメントを行うことが可能な携帯型の化粧液装置に関する。
【背景技術】
【０００２】
携帯性に優れ、どこにでも持ち運ぶことができ、使用者の顔などに液体のミストを噴霧して肌に潤いを与え、または肌の細胞組織の活性を高める美容処理を行う噴霧装置が知られている。
【先行技術文献】
【特許文献】
【０００３】
【特許文献１】実用新案登録第３１６１９９６号公報
【発明の概要】
【発明が解決しようとする課題】
【０００４】
上記装置は、美容処理の一つとして、肌のコンディションをケアすることを目的にしたものである。ところで、美容処理の一つにファンデーションを肌面に乗せることで見栄えを整える化粧があるが、肌面上のファンデーションは、時間の経過とともに落ちることがある。そのとき、簡単に、素早く化粧直しができることが望まれている。
【０００５】
本発明は、このような事情を考慮してなされたものであり、肌のコンディションをケアする美容処理と、ファンデーションによる化粧を簡単な操作ですばやく肌面に施すことが可能な化粧液装置を提供することを目的とする。
【課題を解決するための手段】
【０００６】
実施形態の化粧液装置は、液体を供給するための液体給液口を有する液体収容タンクと、正面にミスト放出口を開口させ、前記液体収容タンクを前記液体給液口を下方にして収納可能な空間と、前記液体収容タンクを前記空間に収納した際、前記液体収容タンクの液体給液口と前記ミスト放出口とを連通させる液体流路と、を有する筺体と、前記筐体のミスト放出口に液密的に装着された少なくとも一部に表裏を連通する微細孔の形成された少なくとも１つの超音波振動子と、前記超音波振動子を駆動する充電可能な電池とを備えることを特徴とする。
【０００７】
また、化粧液装置は、側面にミスト放出部を備えた液体収容タンクと、前記液体収容タンクを収納可能な空間を有し、前記液体収容タンクを収納した際、前記ミスト放出部に対応する位置に開口部を有する筐体とを備え、前記液体収容タンクの前記ミスト放出部は、前記タンク側面に液密的に固設された少なくとも一部にタンク内に連通する微細孔の形成された超音波振動子と、前記超音波振動子に電力を供給する受電端子を底面に露出させた給電部とを有し、前記筐体は、前記液体収容タンクを前記空間に収納した際、前記液体収容タンクの受電端子が接触する位置に設けた給電端子と、前記給電端子に給電ラインを介して接続された充電可能な電池と、を有することを特徴とする。
【０００８】
前記タンクが第１の液体と第２の液体とを貯蓄可能な互いに区画された貯液部を備え、前記貯液部が、前記液体流路に第１の液体を供給するための第１の供給路と、前記気体流路に前記透液性の部材又は微細孔を有する部材を介して第２の液体を供給する第２の供給路と、を備える構成とすることができる。前記タンクは、取換え可能であることが望ましい。少なくとも１つの前記超音波振動子は、前記多数の微細孔が直径は１０μｍ以上に形成され、他の前記超音波振動子は、前記多数の微細孔が直径は１０μｍ以下に形成されていることが望ましい。
前記筐体は、前記ミスト放出口を挟んで溝部を対向させて平行配置された一対のスライド溝部を有し、前記超音波振動子は、前記スライド溝部に複数並列的に装着され、それぞれ前記溝部を摺動させて交互に前記ミスト放出口に装着することができる。
前記超音波振動子は着脱自在でもよい。
【発明の効果】
【０００９】
本発明によれば、肌のコンディションをケアする美容処理と、ファンデーションによる化粧を簡単な操作ですばやく肌面に施すことが可能な化粧液装置を提供できる。
【図面の簡単な説明】
【００１０】
【図１】本発明の第１実施形態にかかる化粧液装置１を正面から見た図。
【図２】図１の化粧液装置１の内部を模式的に示す概略図。
【図３】図２の化粧液装置１を一部拡大して示す図。
【図４】本発明の第２実施形態にかかる化粧液装置２を裏面から見た図。
【図５】図４の化粧液装置２の内部を模式的に示す概略図。
【図６】図５の化粧液装置２を一部拡大して示す図。
【図７】本発明の変形例１である化粧液装置３aを示す概略図。
【図８】本発明の変形例２である化粧液装置３ｂを示す概略図。
【図９】本発明のさらなる変形例である化粧液装置３ｃを示す概略図。
【図１０】本発明の第３実施形態にかかる化粧液装置５を正面から見た一部透視図。
【図１１】図１０の化粧液装置５の内部を模式的に示す概略図。
【図１２】本発明の第４実施形態にかかる化粧液装置６の内部を模式的に示す概略図。
【図１３】本発明のその他の変形例である化粧液装置７を示す概略図。
【発明を実施するための形態】
【００１１】
以下、実施の形態を図に基づき説明する。
［第１実施形態］
（化粧液装置１について）
図１に示すように、この実施形態の化粧液装置１は、筺体１０を備え、その表面にはミスト放出孔１００が設けられている。筺体１０の上方には、使用者によって開閉される蓋部１０１が設けられている。また、筺体１０の側面には、使用者によって操作されるスイッチ１１１の一部が露出している。
図２に示すように、筺体１０内には、空間１０２、化粧液導出部１０３、超音波振動子１０５、制御用電子回路基板１０７、バッテリー１０９、筺体１０表面に露出したスイッチ１１１の他の部分などが配置される。さらに筺体１０には、蓋部１０１の下方に設けられた空間１０２が設けられている。
空間１０２は、リキッド状のファンデーション、水、保湿や肌面のケアのための化粧液などの液体が入ったボトル４が出し入れ自在に嵌合可能な形状に形成されている。空間１０２は、ボトル４内の液体が下方の化粧液導出部１０３に向けて重力作用を及ぼすように筺体１０の上側に設置されている。空間１０２の下方には、化粧液導出部１０３内にボトル４内のリキッド状のファンデーションを供給するための給液部１１７が設けられる。給液部１１７によってボトル４と化粧液導出部１０３とが接続される。
【００１２】
給液部１１７は、多数の孔１１７a、弁押し上げ棒１１７ｂを備える。孔１１７aを通ってボトル４内のリキッド状のファンデーションが化粧液導出部１０３内に供給される。弁押し上げ棒１１７ｂは、後述するボトル４が有する弁体４５１を押し上げるためのものである。
化粧液導出部１０３は、ボトル４と、超音波振動子１０５とを接続して、超音波振動子１０５にボトル４内のリキッド状のファンデーションを供給するための液体流路である。
超音波振動子１０５は、ミスト放出孔１００内に配置され、化粧液導出部１０３から導出される液体を霧化してミスト放出孔１００から筺体１０の外部に放出する素子である。超音波振動子１０５は形成される。超音波振動子１０５は、マイクロチップと圧電セラミックス（ＰＺＴ）を接合してウェーハ状に形成されている。圧電セラミックスは、制御用電子回路基板１０７によって電圧印加が制御され、交番電圧の印加により圧電セラミックスが振動し、一体に接合しているマイクロチップを前後方向に振動させる。
例えば、マイクロチップが１３０ＫＨｚの超音波周波数で前後に振動するように制御されると、このマイクロチップの微細孔１０５aの両側に気圧差を生じて、リキッド状のファンデーションが、ファンデーション成分を含む微小な水滴に霧化されてミスト放出孔１００から放出される。
【００１３】
微細孔１０５aは、超音波振動子１０５に多数設けられている（なお、図２では説明を分かりやすくするために微細孔１０５aを模式的に図示している。）。微細孔１０５aは、直径が10[μｍ]以上となるように形成されることが望ましい。このような径で微細孔１０５aを形成することにより、リキッド状のファンデーションによる目詰まりを防止することがきる。ファンデーションの粒子径は、１０〜１００[μｍ]が一般的であるため、種々の径を持つ微細孔１０５aを超音波振動子１０５に混在させて設けるようにしてもよい。
制御用電子回路基板１０７の電子回路は、超音波振動子１０５、バッテリー１０９、スイッチ１１１などと電気的に接続されており、超音波振動子１０５への通電、スイッチ１１１の押下操作の検知、バッテリー１０９の充電などの各種の制御を行う制御回路を構成する。
バッテリー１０９は、二次電池（例えば、リチウムイオン電池やキャパシタなど）から構成され、制御用電子回路基板１０７の電子回路からの制御信号により外部から電力の供給を受けて充電される。バッテリー１０９に蓄えられた電力は、制御用電子回路基板１０７の制御回路の制御による超音波振動子１０５の駆動に使用される。
スイッチ１１１は、使用者が超音波振動子１０５の駆動のＯＮ−ＯＦＦを制御するためのものである。使用者のスイッチ１１１の操作を制御用電子回路基板１０７の制御回路が検知すると、この制御回路が超音波振動子１０５を駆動させる。
【００１４】
（ボトル４について）
次に、図３を用いてボトル４について説明する。ボトル４は液体を保持する本体部４１、この本体部４１に接続され、液体が出し入れされる給水ノズル４３、本体部４１と給水ノズル４３の接合面に設けられる弁部４５を備える。ボトル４は、空間１０２に嵌合可能な形状に形成され、開状態の蓋部１０１から空間１０２に挿入されることで化粧液装置１に装着される。
なお、ここではボトル４には、リキッド状のファンデーションが貯液されているが、ボトル４にはリキッド状のファンデーションの他にも、水や美容液を貯液させることも可能である。
給水ノズル４３は、開口４３aを有し、リキッド状のファンデーションを安定して化粧液装置１に供給するためのガイドとして機能する。給水ノズル４３は、例えば、ねじ式やはめこみ式によって化粧液装置１に固定される。
弁部４５は、弁体４５１、蓋部４５２、押し上げ棒接触部４５３、弁体４５１と押し上げ棒接触部４５３とを接続する柱部４５４、バネ部４５５を備える。
弁体４５１は、例えばゴムや樹脂などで形成され、リキッド状のファンデーションがボトル４外に漏れ出すのを防止するためのものである。
蓋部４５２は、バネ部４５５の基部を固定するためのものである。蓋部４５２の略中央部には、柱部４５４の一部が上下に摺動可能な孔４５２ａが形成され、さらにこの孔４５２ａの周辺には、化粧液が通過するための小径の孔部４５２ｂが形成される。
柱部４５４は一端が弁体４５１に接続され、他端は押し上げ棒接触部４５３に接続される。
【００１５】
バネ部４５５は柱部４５４表面にコイル状に巻かれて設けられる。バネ部４５５は基部が蓋部４５２に固定され、通常時には押し上げ棒接触部４５３をボトル４の出口方向に向けて押し上げている。このことにより、柱部４５４を介して押し上げ棒接触部４５３と接続されている弁体４５１の底面が、本体部４１の内面側を向く蓋部４５２の１面に押しつけられる。このことにより通常時には弁体４５１が孔部４５２ｂを塞ぐ状態となり、リキッド状のファンデーションの漏れが防止される。
そして、ボトル４を化粧液装置１に取り付けた際には、化粧液装置１の弁押し上げ棒１１７ｂが、押し上げ棒接触部４５３と接触しかつ本体部４１内部方向へ押し上げる。この結果として、弁体４５１が本体部４１内部に押し上げられ、弁体４５１と孔部４５２ｂの間に隙間が生まれる。そして、自重によってリキッド状のファンデーションが化粧液装置１に供給される（図３の矢印参照）。
【００１６】
（化粧液装置１の動作の説明）
次に、化粧液装置１の動作を説明する。化粧液装置１は、化粧を速やかに直すことを主な目的とした装置であり、日常は、バッグなどに入れて持ち運びされる。ただし、化粧液装置１の用途は化粧を直すことのみに限定されず、外出する前の化粧にも使用できる。
化粧液装置１内にボトル４が装着されていない場合がある。この場合には、使用者は蓋部１０１を開け、空間１０２にボトル４を挿入して蓋部１０１を閉める。
空間１０２に挿入されたボトル４の弁部４５が、弁押し上げ棒１１７ｂにより押し上げられ、リキッド状のファンデーションが化粧液導出部１０３に重力により自然に流下する。
この状態の時に、使用者がスイッチ１１１をＯＮにすると、ミスト放出孔１００から霧化されたファンデーションが放出される。
すなわち、使用者のスイッチ１１１のＯＮ操作を制御用電子回路基板１０７が検知し、バッテリー１０９の電力で超音波振動子１０５を振動させる。この結果、化粧液導出部１０３から超音波振動子１０５に供給されたリキッド状のファンデーションが、超音波振動子１０５によって霧化されてミスト放出孔１００から放出される。ミスト放出孔１００から放出された霧化したファンデーションを肌面につけることで、素早い化粧が可能となる。
化粧液装置１によれば、霧化したファンデーションがミスト放出孔１００から放出されるので、スポンジパフ等を用いて行われる肌面へのファンデーションの塗布に比べると、スポンジパフにファンデーションをつける動作をしなくて済み、肌面に化粧を施すファンデーション処理をすばやく行える。また、ボトル４に水や美容液を入れれば、ミスト放出孔１００から霧状の水や美容液を放出し、肌面のケアが行える。
要するに、化粧液装置１によれば簡単な操作で、肌のコンディションをケアする美容処理と、ファンデーションによる化粧を肌面に施せる。
【００１７】
[第２実施形態]
次に図４〜６を用いて本発明の第２実施形態にかかる化粧液装置２について説明する。なお、以下の説明では、第１実施形態と同一部分については、同一符号を付して重複する説明は省略する。
図４〜６に示すように第２実施形態にかかる化粧液装置２は、化粧液装置１と同様、ミスト放出孔１００、蓋部１０１、空間１０２、超音波振動子１０５、バッテリー１０９、給液部１１７などを備える。
化粧液装置２は筺体２０を備える。この筺体２０には、化粧液導出部２０３、制御用電子回路基板２０７、スイッチ２１１、バネ２１３、弁２１５、圧縮空気放出部２１７、スプレー噴出部２１９などが設けられる。
化粧液導出部２０３は、化粧液導出部１０３とほぼ同じような形状を備え、一端を超音波振動子１０５に接続されて、この超音波振動子１０５に対してボトル４内の液状のファンデーションを供給する。
また、化粧液導出部２０３は、スプレー噴出部２１９にボトル４内の液状のファンデーションを供給する。化粧液導出部２０３は、底面にスプレー噴出部２１９に接続する複数の孔２０３aを備える（図６参照）。この複数の孔２０３aを通ってボトル４内の液状のファンデーションがスプレー噴出部２１９に供給される。複数の孔２０３aは、通常時には、バネ２１３によって上方向に引っ張られる弁２１５によって栓がされている。
【００１８】
弁２１５は、例えばゴムや樹脂などで形成され、化粧液装置２を使用しないときに、リキッド状のファンデーションが、化粧液導出部２０３から圧縮空気放出部２１７に供給されることを防止するためのものである。弁２１５は複数の孔２０３aを塞ぐための凸部２１５aを備える。
図５に示すように、圧縮空気放出部２１７は、マイクロポンプ２１７a、送風管２１７ｂ、送風口２１７ｃから主に構成されている。マイクロポンプ２１７aは、例えば電磁式のエアポンプである。マイクロポンプ２１７aは取り込んだ空気を圧縮し、圧縮空気としてスプレー噴出部２１９に供給する。
送風管２１７ｂ及び送風口２１７ｃは圧縮空気をスムーズにスプレー噴出部２１９に導出させるためのものである。
スプレー噴出部２１９は、化粧液導出部２０３の下側に配置された空間でありマイクロポンプ２１７aの圧縮空気が通る気体流路である。。スプレー噴出部２１９は、筺体２０の裏面（ミスト放出孔１００が形成され面と逆の面）に形成されたスプレー噴出孔２１９aを備える。圧縮空気放出部２１７から供給された圧縮空気は、スプレー噴出孔２１９aを通り筺体２０の外に排気される。
【００１９】
制御用電子回路基板２０７には、制御用電子回路基板１０７と同様の機能を備える電子回路が形成されている。さらに制御用電子回路基板２０７にはマイクロポンプ２１７aのON・ＯＦＦの制御を行う電子回路が形成されている。
スイッチ２１１は、使用者が超音波振動子１０５の駆動のＯＮ・ＯＦＦまたはマイクロポンプ２１７aのON・ＯＦＦを制御するためのものである。すなわち、使用者のスイッチ２１１の操作を制御用電子回路基板２０７の制御回路が検知すると、この制御回路が超音波振動子１０５またはマイクロポンプ２１７aを駆動させる。
【００２０】
（化粧液装置２の動作の説明）
次に、化粧液装置２の動作を説明する。化粧液装置２は、化粧を速やかに直すことを主な目的とした装置であり、日常は、バッグなどに入れて持ち運びされる。ただし、化粧液装置２の用途は化粧を直すことのみに限定されず、外出する前の化粧にも使用できる。
化粧液装置２の動作は以下の２つである。
（１）超音波振動子１０５の駆動によって、ミスト放出孔１００から霧化したファンデーションを放出させる。
（２）マイクロポンプ２１７aの駆動によって、スプレー噴出孔２１９aからファンデーションを放出させる。
ここで、動作（１）については、第１実施形態の化粧液装置１と同様であるので詳細な説明は省略する。
【００２１】
化粧液装置２内にボトル４が装着され、リキッド状のファンデーションが化粧液導出部２０３に貯液された状態で使用者がスイッチ１１１をＯＮ（マイクロポンプ２１７aをＯＮ）にすると、スプレー噴出孔２１９aからファンデーションが放出される。
すなわち、まず使用者のスイッチ２１１のＯＮ操作を制御用電子回路基板２０７が検知し、バッテリー１０９の電力でマイクロポンプ２１７aを駆動させる。この結果、送風管２１７ｂからスプレー噴出部２１９に対して、圧縮空気が供給され、スプレー噴出孔２１９aから放出される。また、このとき、化粧液導出部２０３からスプレー噴出部２１９にリキッド状のファンデーションが供給されて圧縮空気と一緒にスプレー噴出孔２１９aから放出される。
ここで、図６を用いて、スプレー噴出部２１９に対するリキッド状のファンデーションの供給について詳細に説明する。図６に示すように、スプレー噴出部２１９に圧縮空気が供給されると、圧縮空気の気流によって、スプレー噴出部２１９内の気圧が、化粧液導出部２０３内の気圧よりも低くなる。この結果、弁２１５が下方向に移動し、孔２０３aと凸部２１５aとの間に隙間が空く（図６のＡ矢印参照）。この隙間から、自重作用によって、化粧液導出部２０３に貯液されたリキッド状のファンデーションが少量ずつスプレー噴出部２１９に供給される。
【００２２】
スプレー噴出部２１９に供給されたリキッド状のファンデーションは、圧縮空気によって運ばれ、圧縮空気とともにスプレー噴出孔２１９aから筺体外に放出される。
このとき、スプレー噴出孔２１９aは、スプレー噴出部２１９の空間よりも小径に形成されているため、圧縮エアの圧力がスプレー噴出孔２１９a近傍で高くなり、液状のファンデーションを勢いよく放出することが可能となる。ファンデーションがスプレー噴出孔２１９aから放出された場合は、ミスト放出孔１００から放出された場合に比べて放出範囲が狭くなる。
以上のように構成された化粧液装置２によれば、ミスト放出孔１００から放出された霧状のファンデーションを肌面の広い範囲に塗布できるとともに、スプレー噴出孔２１９aから放出されたファンデーションを肌面の狭い範囲に塗布することができ、使用者は、化粧の際にはファンデーションの塗り方を適宜使い分けることができる。
例えば、肌面の広い範囲にファンデーションを塗布する際には、ミスト放出孔１００から霧状のファンデーションを放出させ、その後の細かい化粧の調整にはファンデーションをスプレー噴出孔２１９aから放出させることが可能となる。
【００２３】
[変形例１]
以上、図４〜６を用いて、本発明の化粧液装置２について説明したが、本発明はさらに種々の変更・変形が可能である。例えば、図７に示す化粧液装置３である。化粧液装置３は、貯液部である本体部４１aが二つの空間４０a,４０ｂに仕切られたボトル４aを空間１０２に挿入する。
ボトル４aは、一方の空間に水や美容液を有し、他方にリキッド状のファンデーションを有する。ボトル４aは、ボトル４aからの液漏れを防ぐために、それぞれの空間には弁部４５と同様の構造、機能を有する弁部４５a,45ｂを備える。それぞれの空間は、第１、第２の供給路として機能する開口４３ｂ，４３ｃとそれぞれ接続されており、例えば水や美容液は開口４３ｂから放出される。同様に、リキッド状のファンデーションは、開口４３ｃから放出される。
化粧液装置３aでは、超音波振動子１０５よって水や美容液を霧状にして、ミスト放出孔１００から放出する。また、ファンデーションをスプレー噴出孔２１９aから放出する。
水や美容液、ファンデーションを別個に放出するために、化粧液装置３は、化粧液導出部２０３内に仕切り２０３aを備える。この仕切り２０３aによって、化粧液導出部２０３が二つの空間に分断される。仕切り２０３aによって分断された化粧液導出部２０３の一方の空間には開口４３ｂから放出された水や美容液が供給される。同様に、仕切り２０３aによって分断された化粧液導出部２０３他方の空間には、開口４３ｃから放出されリキッド状のファンデーションが供給される。
化粧液装置３は、ボトル４aが備える弁部４５a,45ｂに対応し、給液部１１７と同様の構造、機能を有する給液部３１７a,３１７ｂを有する。
以上のように構成された化粧液装置３では、霧状で放出された水や美容液によって肌面の保湿やケアを行うことができ、かつ、スプレー噴出孔２１９aから放出されたファンデーションを用いて、肌面に化粧を施すことができる。
要するに、化粧液装置２によれば簡単な操作で、肌のコンディションをケアする美容処理と、ファンデーションによる化粧を肌面に施せる。
【００２４】
[変形例２]
さらなる変形例として、図８に示す化粧液装置３ｂがある。化粧液装置３ｂは、送風口２１７ｃから分岐する送風管２１７ｄを備える。送風管２１７ｄは、超音波振動子１０５に、マイクロポンプ２１７aが発生させた圧縮空気を供給するためのものある。送風管２１７ｄを介して超音波振動子１０５に圧縮空気を供給することで、リキッド状のファンデーションによる超音波振動子１０５の微細孔１０５aの目詰まりを解消することがきる。具体的には、送風管２１７ｄを介して圧縮空気を微細孔１０５aに圧縮空気を通すことで、目詰まりの原因であるファンデーション成分を吹き飛ばし、このことにより目詰まりを解消できる。微細孔１０５aへの圧縮空気の吹き付けは、ミスト放出孔１００側から、化粧液導出部２０３に向かって行われることが望ましい。
また、図８に示すように、弁２１５を設けずとも、弁２１５の代わりに透液性を有するスポンジ状の吸水部材２１６を化粧液導出部２０３の下部に設けてもよい。スポンジ状の吸水部材２１６を用いた場合、通常時は吸水部材２１６がリキッド状のファンデーションを保持し、このリキッド状のファンデーションがスプレー噴出部２１９に供給されることを防止する。圧縮空気がマイクロポンプ２１７aから供給された場合には、スプレー噴出部２１９の圧力の低下によって少量のリキッド状のファンデーションが吸水部材２１６からスプレー噴出部２１９に供給される。 
また、さらなる変形例として図９に示す化粧液装置３ｃように、スプレー噴出孔２１９aを、ミスト放出孔１００と同じ面に設けるようにしてもよい。
【００２５】
[第３実施形態]
次に図１０、図１１を用いて本発明の第３実施形態にかかる化粧液装置５について説明する。なお、以下の説明では、第１、２実施形態及びその変形例と同一部分については、同一符号を付して重複する説明は省略する。
（化粧液装置５について）
図１０、図１１に示すように第３実施形態にかかる化粧液装置５は表面にミスト放出孔１００が形成された筺体５０を備える。筺体５０は、空間１０２、化粧液導出部１０３、制御用電子回路基板１０７、バッテリー１０９、スイッチ１１１、給液部１１７を内蔵する。
筺体５０は、振動子筺体５０４、超音波振動子５０５，５０６、一対のスライドレール５０８、空間５０８a、支持部材５１０、一部を筺体５０の側面から露出させたつまみ５１２、電極部５１４、電源ライン５１６などをさらに内蔵する。
【００２６】
振動子筺体５０４には、超音波振動子５０５，５０６が並列的に装着される。振動子筺体５０４は図示を省略した凸部を備え、スライドレール５０８と嵌合し、かつスライドレール５０８上を摺動する。振動子筺体５０４がスライドレール５０８上を摺動することで、超音波振動子５０５，５０６のどちらか一方をミスト放出孔１００と対応する位置に移動させることができる。なお、このとき、ミスト放出孔１００と超音波振動子５０５，５０６のどちらか一方との位置の対応にずれが生じないように、筺体５０には、バネやかぎ状の部材による振動子筺体５０４の位置ずれ防止機構を内蔵させることが望ましい。
超音波振動子５０５，５０６は、超音波振動子１０５とほぼ同様の構成、機能を備える。超音波振動子５０５，５０６にはそれぞれ微細孔５０５a，５０６aが形成されている。
微細孔５０５a，５０６aはそれぞれが異なる径で形成された孔である。例えば、微細孔５０５aは、微細孔５０６aよりも小径に形成される。
【００２７】
一対のスライドレール５０８は、空間５０８a内に配置される。一対のスライドレール５０８は、ミスト放出口１００を挟んで対向するように平行配置された一対の溝部である。一対のスライドレール５０８は、振動子筺体５０４に装着された超音波振動子５０５，５０６を筺体５０内で移動させるためのガイドとして機能する。
空間５０８aはミスト放出口１００と接続される。図１０の一点鎖線に示すように、空間５０８aの一部は、筺体５０の側面に開口しており、この開口からは、つまみ５１２の一部が露出する。
つまみ５１２は、支持部材５１０を介して振動子筺体５０４に接続されている。筺体５０を使用者の手などで固定した状態でつまみ５１２は上下にスライドさせることで、支持部材５１０を介して振動子筺体５０４がスライドレール５０８上を摺動する。
【００２８】
図１１に示すように電極部５１４は、バッテリー１０９及びスイッチ１１１とを接続する電源ライン５１６を介して、ミスト放出孔１００と対応する位置に移動した超音波振動子５０５または超音波振動子５０６に対してバッテリー１０９の電力を供給するためのものである。
【００２９】
（ボトル４ｂ,４ｃについて）
図１１に示すように、化粧液装置５にはボトル４ｂまたはボトル４ｃが挿入される。例えば、ボトル４ｂにはリキッド状のファンデーションが入れられており、ボトル４ｃには水または美容液が入れられている。
【００３０】
（化粧液装置５の動作の説明）
次に、化粧液装置５の動作を説明する。化粧液装置５は、空間１０２に挿入されるボトル４ｂまたはボトル４ｃによって、超音波振動子５０５，５０６を切り替えることができる。
すなわち、化粧液装置５の動作は以下の２つである。
（１）微細孔５０５aを備える超音波振動子５０５の駆動により、ミスト放出孔１００から霧化された水または化粧液が放出される。
（２）微細孔５０５aよりも大きな径の微細孔５０６aを備える超音波振動子５０６の駆動により、ミスト放出孔１００から霧化したファンデーションが放出される。
【００３１】
まず、使用者によって化粧液装置５内にボトル４ｂまたはボトル４ｃが装着される。次に使用者は、ボトル４ｂまたはボトル４ｃに対応する超音波振動子５０５，５０６のどちらか一方がミスト放出孔１００に対応位置に配置されるように、つまみ５１２を筺体５０に対してスライドさせる。
つまみ５１２の操作によって超音波振動子５０５，５０６のどちらか一方がミスト放出孔１００に対応する位置に配置されると、超音波振動子５０５，５０６の一方と電極部５１４が電気的に接続される。
この状態の時に、使用者がスイッチ１１１をＯＮ操作することで、このＯＮ操作が制御用電子回路基板１０７によって検知され、バッテリー１０９の電力が超音波振動子５０５，５０６のどちらか一方に供給される。
この結果、ミスト放出孔１００から霧状の水または化粧液または霧状のファンデーションが放出される。
【００３２】
以上のように構成された化粧液装置５によれば、霧状の水または化粧液により肌面のケアを行うことができ、かつ放出された霧状のファンデーションにより、簡単にすばやく化粧を施すことができる。
さらに、ボトル４ｂまたはボトル４ｃに入れられた液体に対応する、超音波振動子５０５，５０６を適宜切り替えることができため、ファンデーションの放出によって超音波振動子５０５の微細孔５０５aが目詰まりを起こすことを防止することが可能となる。
なお、以上の説明では、超音波振動子５０５，５０６の切り替えをつまみ５１２によって行ったが、これにかえてバッテリー１０９の電池で駆動される小型のモーターを筺体５０に内蔵させ、このモーターの駆動によって振動子筺体５０４がスライドレール５０８を摺動するようにしてもよい。
【００３３】
[第４実施形態]
次に図１２を用いて本発明の第４実施形態にかかる化粧液装置６について説明する。なお、以下の説明では、第１〜３実施形態及びその他の変形例と同一部分については、同一符号を付して重複する説明は省略する。
（化粧液装置６について）
図１２に示すように第４実施形態にかかる化粧液装置６は筺体６０を備える。筺体６０はミスト放出孔１００や蓋部１０１やスイッチ１１１が設けられる。筺体６０は、制御用電子回路基板１０７、バッテリー１０９、筺体１０表面に露出するスイッチ１１１の他の部分などを内蔵する。
筺体６０は、空間６０２を備える。この空間６０２下方には化粧液導出部６０４が設けられる。筺体６０は、電極部６１４、電源ライン６１６をさらに内蔵する。
【００３４】
空間６０２は、図２に示す空間１０２と同様に筺体６０の上方に配置され、上部には蓋部１０１が開閉自在に取り付けられる。空間６０２は、リキッド状のファンデーションが入ったボトル４ｄ、水または化粧液が入ったボトル４eが出し入れ自在に嵌合可能な形状に形成されている。
化粧液導出部６０４は、霧化されたリキッド状のファンデーションや水または美容液をミスト放出孔１００に供給するためのものである。
電極部６１４は、給電端子である。電極部６１４は、電源ライン６１６によってスイッチ１１１及び制御用電子回路基板１０７を介してバッテリー１０９に接続される。制御用電子回路基板１０７の制御によって電極部６１４からボトル４ｄ、４ｅに対してバッテリー１０９の電力が供給される。
【００３５】
（ボトル４ｄ，４eについて）
ボトル４ｄ，４eは、それぞれ本体部４０ｄ，４０ｅ及び蓋部４１ｄ，４１ｅから主に構成される。
本体部４０ｄには、蓋部４１ｄを開閉することで、リキッド状のファンデーションが入れられる。本体部４０ｅには、蓋部４１ｅを開閉することで、水または美容液が入れられる。本体部４０ｄ，４０ｅは、それぞれミスト放出部４１０ｄ，４１０ｅ及び電極４２０ｄ，電極４２０ｄを備えている。
ミスト放出部４１０ｄ，４１０eは、それぞれ本体部４０ｄ，４０ｅの底面側の側壁に設けられる。詳細には、ミスト放出部４１０ｄ，４１０eは、ボトル４ｄ，４eが空間６０２に挿入されたときに、化粧液導出部６０４を介してミスト放出孔１００と接続される位置に設けられる。すなわち、ミスト放出部４１０ｄ，４１０eは空間６０２内において、化粧液導出部６０４、ミスト放出孔１００と接続する。ミスト放出部４１０ｄ，４１０ｅには、それぞれ超音波振動子４１１d，４１１ｅが密液的に個設される。
【００３６】
超音波振動子４１１d，４１１ｅは、超音波振動子１０５とほぼ同様の構成、機能を備える。超音波振動子４１１d，４１１ｅは、それぞれ給電ライン４１３ｄ，４１３ｅによって電極４２０ｄ，４２０ｅと電気的に接続されている。超音波振動子４１１ｄ，４１１ｅには、それぞれ微細孔４１２ｄ，４１２ｅが形成されている。
微細孔４１２ｄ，４１２ｅは、それぞれが異なる径で形成された孔であり、本体部４０ｄ，４０ｅ内にそれぞれ連通する。例えば、微細孔４１２ｅは、微細孔４１２ｄよりも小径に形成される。
【００３７】
（化粧液装置６の動作の説明）
次に、化粧液装置６の動作を説明する。化粧液装置６では、ボトル４d，４eを取り換えることで、液体ファンデーションによる化粧と、水または化粧液による美容処理とを適宜選択して行うことができる。
すなわち、化粧液装置６の動作は以下の２つである。
（１）微細孔４１２ｅを備える超音波振動子４１１ｅが個設されたボトル４ｅが、空間６０２に挿入されたときにはミスト放出孔１００から霧化された水または化粧液が放出される。
（２）微細孔４１２ｅよりも大きな径の微細孔４１２ｄが個設されたボトル４ｄが、空間６０２に挿入されたときにはミスト放出孔１００から霧化されたファンデーションが放出される。
【００３８】
まず、使用者によって化粧液装置６内にボトル４ｄまたはボトル４ｅが装着される。このとき、ボトル４ｄまたはボトル４ｅの電極４２０ｄまたは４２０ｅが、筺体６０が備える電極部６１４に装着され、ボトル４ｄまたはボトル４ｅとバッテリ１０９とが電気的に接続される。
この状態の時に、使用者がスイッチ１１１をＯＮ操作することで、このＯＮ操作が制御用電子回路基板１０７によって検知され、バッテリー１０９の電力が、電源ライン６１６、電極部６１４、電極４２０ｄまたは４２０ｅ、給電ライン４１３ｄまたは４１３ｅを介して、超音波振動子４１１dまたは４１１ｅに供給される。
この結果、ミスト放出孔１００から霧状の水または化粧液または霧状のファンデーションが放出される。
以上のように構成された化粧液装置６によれば、霧状の水または化粧液により肌面のケアを行うことができ、かつ放出されたファンデーションにより、簡単にすばやく化粧を施すことができる。
さらに、ボトル４d，４eが、それぞれに入れられる液体に対応した径を持つ超音波振動子４１１d，４１１ｅを備えることによって、微細孔４１２ｄ，４１２eの目詰まりを防止できる。
【００３９】
[その他の変形例]
以上、本発明の第１〜４実施形態および変形例１、２について説明したが、本発明はこれらに限定されるものではなく適宜変更、変形が可能である。例えば、各実施形態の構成要素を種々組み合わせてもよい。
例えば、図１３に示すように、超音波振動子５０５，５０６をそれぞれ備えた振動子筺体６０４ａ，６０４ｂを、筺体７０を有する化粧液装置７につけ替えるようにしてもよい。筺体７０は、ミスト放出孔１００近傍に一対のスライドレール６０８を備える。振動子筺体６０４ａまたは６０４ｂをこのスライドレール６０８に嵌め、摺動させることで、ミスト放出孔１００に超音波振動子５０５または５０６を装着させることができる。この場合には、特に図示はしないが、振動子筺体６０４ａ，６０４ｂを固定するための機構をミスト放出孔１００近傍に設けることが望ましい。
【符号の説明】
【００４０】
１，２，３a，３b，３ｃ…化粧液装置、４，４a…ボトル、１０，２０…筺体、４１，４１a…本体部、４３…給水ノズル、４３a，４３ｂ，４３ｃ…開口、４５，４５a，４５ｂ…弁部、１００…ミスト放出孔、１０１…蓋部、４０a，４０ｂ，１０２，５０８a，６０２…空間、１０３，６０４…化粧液導出部、１０５，４１１ｄ，４１１ｅ，５０５，５０６…超音波振動子、１０５a，４１２ｄ，４１２ｅ，５０５a，５０６a…微細孔、１０７…制御用電子回路基板、１０９…バッテリー、１１１…スイッチ、１１７，３１７a…給液部、１１７a…孔、１１７ｂ…弁押し上げ棒棒、２０３…化粧液導出部、２０３a…孔、２０７…制御用電子回路基板、２１１…スイッチ、２１３…バネ、２１５…弁、２１５a…凸部、２１６…吸水部材、２１７…圧縮空気放出部、２１７a…マイクロポンプ、２１７ｂ，２１７ｄ…送風管、２１７ｃ…送風口、２１９…スプレー噴出部、２１９a…スプレー噴出孔、４１０ｄ，４１０ｅ…ミスト放出部、４１３ｄ，４１３ｅ…給電ライン、４２０ｄ，４２０ｅ…電極、４５１…弁体、４５２…蓋部、４５２ａ…孔、４５２ｂ…孔部、４５３…弁押し上げ棒接触部、４５４…柱部、４５５…バネ部、５０４，６０４ａ，６０４ｂ…振動子筺体、５０８，６０８…スライドレール、５１０…支持部材、５１２…つまみ、５１４，６１４…電極部，５１６，６１６…電源ライン。
【図１】
0005781317.tif 000002
【図２】
0005781317.tif 000003
【図３】
0005781317.tif 000004
【図４】
0005781317.tif 000005
【図５】
0005781317.tif 000006
【図６】
0005781317.tif 000007
【図７】
0005781317.tif 000008
【図８】
0005781317.tif 000009
【図９】
0005781317.tif 000010
【図１０】
0005781317.tif 000011
【図１１】
0005781317.tif 000012
【図１２】
0005781317.tif 000013
【図１３】
0005781317.tif 000014